(57)【要約】      （修正有）【課題】破片を生じさせることなく加圧ガス充填空間の閉塞部分を開口させることができるインフレータ用の破裂板の提供。【解決手段】破裂板１は、正多角形の周辺を形成する溝からなる第１脆弱部５と、正多角形の全ての頂点から正多角形の中心まで形成された溝からなる第２脆弱部４を有している。前記脆弱部が形成された面と反対側の面からの圧力を受けたとき、第２脆弱部４が開裂し、第１脆弱部５で折れ曲がるため、花弁状に開いて開口する。【選択図】図１
2015080987.tif 000002
【特許請求の範囲】
【請求項１】
インフレータの加圧ガス充填空間の開口部を閉塞するための円形の破裂板であって、
前記破裂板の一面側には正多角形内に脆弱部が形成されており、
前記脆弱部が、前記正多角形の周辺を形成する溝からなる第１脆弱部と、前記正多角形の全ての頂点から前記正多角形の中心まで形成された溝からなる第２脆弱部を有しており、
前記第１脆弱部が底辺となり、前記第２脆弱部が残部の二辺となる複数の三角形が形成されているものであり、
前記第１脆弱部の深さ（ｈ１）と前記第２脆弱部の深さ（ｈ２）がｈ１＜ｈ２の関係を満たしており、
開裂時に前記脆弱部を有している面と反対側の面からの圧力を受けて前記脆弱部を有している面側に開裂するものである、破裂板。
【請求項２】
前記溝からなる第１脆弱部の深さ（ｈ１）の前記第１脆弱部のない破裂板の厚み（Ｔ）に対する比（ｈ１／Ｔ）が０．０５〜０．５０の範囲であり、
前記溝からなる第２脆弱部の深さ（ｈ２）の前記第２脆弱部のない破裂板の厚み（Ｔ）に対する比（ｈ２／Ｔ）が０．２０〜０．６０の範囲であり、
さらにｈ１＜ｈ２の関係を満たしている、請求項１または２記載の破裂板。
【請求項３】
ガス源として加圧ガスが充填されたインフレータであって、
前記加圧ガスの充填空間のガス出口が、前記脆弱部を有している面が前記加圧ガスの充填空間側になるように取り付けられた請求項１または２記載の破裂板で閉塞されており、
さらに前記破裂板の破壊手段を有している、インフレータ。
【請求項４】
加圧ガスが充填されたボトルと、
前記ボトルの開口部に取り付けられた点火手段部を有しており、
前記点火手段部が、ガス排出口を有する点火手段部ハウジング内に、点火手段と、前記点火手段の作動により軸方向に移動されるピストンが収容されているものであり、
前記ボトルと前記点火手段部ハウジングの間が、前記脆弱部を有している面が前記ボトル側になるように、かつ前記ピストンが前記脆弱部を有している面と反対面側に向くように取り付けられた請求項１または２項記載の破裂板で閉塞されており、
前記点火手段の作動により発生したガス圧を受けて前記ピストンが軸方向に移動して前記破裂板に衝突して開裂させる、インフレータ。
【請求項５】
筒状の加圧ガス室ハウジングにより外殻が形成され、加圧ガスが充填された加圧ガス室と、
前記加圧ガス室の一端側に接続されたガス発生器ハウジング内に収容された点火手段とガス発生剤成形体を含むガス発生器と、
前記加圧ガス室の他端側に接続されたガス排出孔を有するディフューザ部を有しており、
前記加圧ガス室と前記ガス発生器との間の第１連通路が第１破裂板で閉塞されており、
前記加圧ガス室と前記ディフューザ部との間の第２連通路が第２破裂板で閉塞されているものであり、
前記第１破裂板および前記第２破裂板の少なくとも一方が、請求項１または２記載の脆弱部を有する破裂板からなるものであり、
前記第１破裂板として前記脆弱部を有する破裂板を使用したときは、破裂板の前記脆弱部を有している面が前記加圧ガス室側になるように取り付けられ、
前記第２破裂板として前記脆弱部を有する破裂板を使用したときは、破裂板の前記脆弱部を有している面が前記ディフューザ部側になるように取り付けられている、インフレータ。
【発明の詳細な説明】
【技術分野】
【０００１】
本発明は、加圧ガスを利用するインフレータの加圧ガス充填空間の開口部を閉塞するための破裂板と、前記破裂板を用いた、エアバッグ装置に使用できるインフレータに関する。
【背景技術】
【０００２】
加圧ガスを利用するインフレータは、開口部が破裂板で閉塞されたボトル内部に加圧ガスが貯蔵された構造である。作動時には、破裂板を破壊して加圧ガスをボトル外部に排出する機構となっている。
【０００３】
この種のインフレータを、エアバッグを用いた人員拘束装置に組み合わせた場合、破裂板の破壊で発生した破片によってエアバッグがダメージを受けないように、破片が外部に排出されないような構造にすることが必要である。そのため、フィルタを配置して破片を捕捉したり、予め破裂板に脆弱部を形成して、破片を生じさせずに破壊させたりする工夫がなされている。
また破裂板を開裂させガスの排出経路を確保するために、開裂後は開裂部分が十分に開口した状態を維持することが望まれる。
【０００４】
特許文献１には、両面側にスコアが形成された破裂板と、それを使用したインフレータが記載されている。このようなスコアを有する破裂板を使用すると、作動時において破裂板は三角形の大きな破片に破壊されることから、破片がガスの排出途中で捕捉されることで、インフレータ外に出て、エアバッグ内に流入することがなくなる（段落番号００５０）。
【先行技術文献】
【特許文献】
【０００５】
【特許文献１】特開2009-292238号公報
【発明の概要】
【発明が解決しようとする課題】
【０００６】
本発明は、破片を生じさせることなく加圧ガス充填空間の閉塞部分を開口させることができるインフレータ用の破裂板と、それを使用するインフレータを提供することを課題とする。
【課題を解決するための手段】
【０００７】
請求項１の発明は、課題の解決手段として、
インフレータの加圧ガス充填空間の開口部を閉塞するための円形の破裂板であって、
前記破裂板の一面側には正多角形内に脆弱部が形成されており、
前記脆弱部が、前記正多角形の周辺を形成する溝からなる第１脆弱部と、前記正多角形の全ての頂点から前記正多角形の中心まで形成された溝からなる第２脆弱部を有しており、
前記第１脆弱部が底辺となり、前記第２脆弱部が残部の二辺となる複数の三角形が形成されているものであり、
前記第１脆弱部の深さ（ｈ１）と前記第２脆弱部の深さ（ｈ２）がｈ１＜ｈ２の関係を満たしており、
開裂時に前記脆弱部を有している面と反対側の面からの圧力を受けて前記脆弱部を有している面側に開裂するものである、破裂板を提供する。
【０００８】
本発明の破裂板は、ガス源として加圧ガスを含むインフレータにおいて、加圧ガス充填空間の開口部を閉塞するために使用するものである。
本発明の破裂板の厚みは、０．２０〜２．０ｍｍが好ましく、０．２０〜１．０ｍｍがより好ましく、０．２０〜０．５０ｍｍがさらに好ましい。
【０００９】
本発明の破裂板は、一面側にのみ、第１弱部と第２弱部からなる脆弱部を有している。
脆弱部は、正多角形内に形成されている。正多角形は、数学的な定義では「辺の長さおよび角の大きさがすべて等しい多角形」であるが、前記の辺の長さと角の大きさについては、破裂板の正常な開裂に影響しない程度の数％の誤差があってもよく、本発明の効果が得られる限りは、角度や寸法が多少異なっていてもよい。
【００１０】
第１脆弱部と第２脆弱部は溝からなるものであり、第１脆弱部と第２脆弱部が形成されている部分では、溝の深さ分だけ破裂板の厚みが小さくなっている。
第１脆弱部の深さ（ｈ１）と第２脆弱部の深さ（ｈ２）がｈ１＜ｈ２の関係を満たしている。したがって同一荷重を受けた場合、第２脆弱部のほうが開裂しやすい。
なお、溝の幅は特に制限されず、例えば深さと同程度にすることができる。
【００１１】
本発明の破裂板は、前記脆弱部（第１脆弱部と第２脆弱部）が形成されている面と反対側の面からの圧力を受けたとき、第１脆弱部は折れ曲がり、第２脆弱部は開裂して、全体として花弁状に開裂することで開口されるものである。
脆弱部の全体形状が正三角形であるときは３枚の花弁状に開裂し、正方形であるときは４枚の花弁状に開裂し、正六角形であるときは６枚の花弁状に開裂する。
【００１２】
第１脆弱部と第２脆弱部を形成している溝は、連続的に形成されていてもよいし、不連続（例えば点線状）に形成されていてもよい。第２脆弱部を連続溝、第１脆弱部を不連続な溝にしてもよい。
第１脆弱部と第２脆弱部を形成している溝の幅方向の断面形状は、Ｖ字状、Ｕ字状、半円形状、台形状などにすることができる。第１脆弱部をＶ字状にして、第２脆弱部を矩形状にするなど、断面形状を第１脆弱部と第２脆弱部で変えることもできる。
第１脆弱部と第２脆弱部を形成している溝の深さと幅は、破裂板として必要な強度を維持したままで、上記したように花弁状に開裂できるように調整すればよい。また一旦破裂板が加圧ガス充填空間側に開裂した後は、花弁状に開裂した部分がガスの流れなどによって反対側に折れ曲がってもよい。
【００１３】
請求項２の発明は、課題の他の解決手段として、
前記溝からなる第１脆弱部の深さ（ｈ１）の前記第１脆弱部のない破裂板の厚み（Ｔ）に対する比（ｈ１／Ｔ）が０．０５〜０．５０の範囲であり、
前記溝からなる第２脆弱部の深さ（ｈ２）の前記第２脆弱部のない破裂板の厚み（Ｔ）に対する比（ｈ２／Ｔ）が０．２０〜０．６０の範囲であり、
さらにｈ１＜ｈ２の関係を満たしている、請求項１または２記載の破裂板を提供する。
【００１４】
第１脆弱部と第２脆弱部における破裂板の厚み（それぞれの脆弱部の深さ）の比を調整することで、より容易に破裂板を花弁状に開裂させることができるようになる。
ｈ１／Ｔは０．１０〜０．４０がより好ましく、０．１０〜０．３０がさらに好ましい。
ｈ２／Ｔは０．３０〜０．５０がより好ましく、０．３５〜０．５０がさらに好ましい。
【００１５】
請求項３の発明は、他の課題の解決手段として、
ガス源として加圧ガスが充填されたインフレータであって、
前記加圧ガスの充填空間のガス出口が、前記脆弱部を有している面が前記加圧ガスの充填空間側になるように取り付けられた請求項１または２記載の破裂板で閉塞されており、
さらに前記破裂板の破壊手段を有している、インフレータを提供する。
【００１６】
インフレータが加圧ガスをガス源とする場合には、例えば、ボトル形状のハウジング内（加圧ガス充填空間となる）にアルゴンやヘリウムなどのガスが高圧充填されており、ガス出口となるボトルの開口部が破裂板で閉塞されている。
本発明のインフレータは、前記破裂板として上記した特定の脆弱部（第２脆弱部と第１脆弱部の組み合わせ）を有しているものを使用している。
【００１７】
破裂板の破壊手段は、破裂板が破壊できる程度の圧力を加えることができるものであればよい。
例えば、破壊手段としては、電気式点火器、電気式点火器と伝火薬の組み合わせ、電気式点火器とガス発生剤の組み合わせなどを使用することができるほか、それらと連動して動くピストンなどを組み合わせて使用することもできる。
【００１８】
インフレータの作動時には、破壊手段の作動による圧力を受けて、破裂板は加圧ガスの充填空間側（第２脆弱部及び第１脆弱部が形成された面側）に花弁状に開裂して開口し、加圧ガスの排出経路を開放する。
【００１９】
請求項４の発明は、他の課題の他の解決手段として、
加圧ガスが充填されたボトルと、
前記ボトルの開口部に取り付けられた点火手段部を有しており、
前記点火手段部が、ガス排出口を有する点火手段部ハウジング内に、点火手段と、前記点火手段の作動により軸方向に移動されるピストンが収容されているものであり、
前記ボトルと前記点火手段部ハウジングの間が、前記脆弱部を有している面が前記ボトル側になるように、かつ前記ピストンが前記脆弱部を有している面と反対面側に向くように取り付けられた請求項１または２項記載の破裂板で閉塞されており、
前記点火手段の作動により発生したガス圧を受けて前記ピストンが軸方向に移動して前記破裂板に衝突して開裂させる、インフレータを提供する。
【００２０】
筒状ボトル内には、アルゴンやヘリウムなどのガスが高圧で充填されており、ガス出口（開口部）が上記した円形の破裂板で閉塞されている。
円形の破裂板は、筒状ボトルの開口部において溶接により固定されている。
円形の破裂板の脆弱部は、筒状ボトル内部側の面に形成されている。
【００２１】
点火手段は、ピストンとの組み合わせによって、破裂板を花弁状に開裂させて開口させ、筒状ボトル内の加圧ガスの排出経路を開放するためのものである。
点火手段としては、電気式点火器、電気式点火器と伝火薬の組み合わせ、電気式点火器とガス発生剤の組み合わせなどを使用することができる。
点火手段として電気式点火器のみ、または電気式点火器と伝火薬の組み合わせを使用するときは、ガス源が加圧ガスのみからなるインフレータとなる。
点火手段として、電気式点火器とガス発生剤の組み合わせを使用するときは、ガス源が加圧ガスとガス発生剤の燃焼ガスの両方からなるインフレータとなる。
【００２２】
ピストンは、点火手段の作動により生じた圧力を受けて軸方向に移動して、破裂板に衝突することで花弁状に開裂させるものである。
ピストンは、破裂板に対して圧力を加えることができるものであればよい。
例えば、先端部が鋭利な形状である棒状のピストンを使用して、破裂板の中心に圧力を加えることで花弁状に開裂させることができるもの、先端部が平坦面または球面である棒状のピストンを使用して、破裂板の脆弱部全体に圧力を加えることで花弁状に開裂させることができるものなどを使用することができる。
【００２３】
請求項５の発明は、他の課題の他の解決手段として、
筒状の加圧ガス室ハウジングにより外殻が形成され、加圧ガスが充填された加圧ガス室と、
前記加圧ガス室の一端側に接続されたガス発生器ハウジング内に収容された点火手段とガス発生剤成形体を含むガス発生器と、
前記加圧ガス室の他端側に接続されたガス排出孔を有するディフューザ部を有しており、
前記加圧ガス室と前記ガス発生器との間の第１連通路が第１破裂板で閉塞されており、
前記加圧ガス室と前記ディフューザ部との間の第２連通路が第２破裂板で閉塞されているものであり、
前記第１破裂板および前記第２破裂板の少なくとも一方が、請求項１または２記載の脆弱部を有する破裂板からなるものであり、
前記第１破裂板として前記脆弱部を有する破裂板を使用したときは、破裂板の前記脆弱部を有している面が前記加圧ガス室側になるように取り付けられ、
前記第２破裂板として前記脆弱部を有する破裂板を使用したときは、破裂板の前記脆弱部を有している面が前記ディフューザ部側になるように取り付けられている、インフレータを提供する。
【００２４】
第１破裂板および第２破裂板の一方または両方は、上記した脆弱部を有している破裂板を使用する。
第１破裂板として脆弱部を有するものを使用したときは、点火手段の作動による圧力を受けて花弁状に開裂され、加圧ガス室ハウジング内部への排出経路が開放される。
第２破裂板として脆弱部を有するものを使用したときは、第１破裂板の開口によりボトル内にガス発生剤の燃焼ガスが流入して内圧が上昇することで花弁状に開裂され、ディフューザ部（ガス排出口）へのガス排出経路が開放される。
【図面の簡単な説明】
【００２５】
【図１】（ａ）は本発明の破裂板の脆弱部側から見た平面図、（ｂ）は（ａ）の破裂板が開裂するときの開裂方向を説明するための側面図。
【図２】（ａ）は、図１の破裂板を使用したインフレータの軸方向断面図、（ｂ）は、図２（ａ）で使用するピストンの平面図。
【図３】図１の破裂板を使用した他実施形態のインフレータの軸方向断面図。
【発明を実施するための形態】
【００２６】
＜破裂板１＞
図１（ａ）により破裂板１を説明する。
破裂板１は、厚み（Ｔ）が０．３０ｍｍの円板である。
破裂板１は、ステンレス鋼、ニッケル合金鋼、低炭素鋼などからなるものであり、インフレータに使用するときは、周縁部２においてインフレータハウジングなどに溶接固定される。
【００２７】
破裂板１の一面側には正六角形の脆弱部３が形成されている。
脆弱部３は、正六角形の周辺を形成する溝（深さｈ１＝0.06mm）からなる第１脆弱部５と、正六角形の全ての頂点から正六多角形の中心まで形成された６本の溝（深さｈ２＝0.12mm）からなる第２脆弱部４を有している。第２脆弱部４と第１脆弱部５は、幅方向の断面形状が台形状の溝から形成されている。
図１（ａ）では、第１脆弱部５が底辺となり、第２脆弱部４が残部の二辺となる正三角形６が６個形成されている。
【００２８】
第１脆弱部５における破裂板１の厚み（ｔ１＝Ｔ）と第１脆弱部５の深さ（ｈ１）の比（ｈ１／Ｔ＝0.06/0.30）は０．２０である。
第２脆弱部４における破裂板１の厚み（ｔ２＝Ｔ）の第２脆弱部４の深さ（ｈ２）の比（ｈ２／Ｔ＝0.12／0.30）は０．４０である。
破裂板１は、図１（ｂ）に示すように、脆弱部３が形成されている面と反対側の面からの圧力（点火手段が作動することで生じた矢印方向からの圧力）を受けて、第１脆弱部５において折れ曲がり、第２脆弱部４が裂けることで花弁状に開裂することで開口する。
【００２９】
＜図２に示すインフレータ１００＞
図２に示すインフレータ１００を説明する。
インフレータ１００は、ボトル１０１と筒状の点火手段部ハウジング１１１からインフレータハウジングが形成されている。
【００３０】
ボトル１０１内は、アルゴンやヘリウムなどのガスが高圧で充填された加圧ガス室（加圧ガス充填空間）１０２となっている。１０３は、ガスを充填した孔を閉塞するためのピンである。
【００３１】
筒状の点火手段部ハウジング１１１の一端側（ボトル１０１側）開口部が、ボトル１０１の開口部に対して溶接固定されている。
筒状の点火手段ハウジング１１１の他端側１１２（ボトル１０１と反対側）の開口部には、電気式点火器１５０が嵌め込まれ、筒状の点火手段部ハウジング１１１の他端側１１２の外径が小さくなるように変形加工されることで固定されている。
筒状の点火手段部ハウジング１１１の一端側（ボトル１０１側）の開口部には、半径方向内側に形成された環状平面部１１３が形成されており、環状平面部１１３には破裂板１が溶接固定されている。破裂板１により加圧ガス室（加圧ガス充填空間）１０２の開口部が閉塞されている。
【００３２】
両端側が閉塞された筒状の点火手段部ハウジング１１１の内部は、点火手段室１２０となっている。
点火手段室１２０内は、凸状隔壁１３０により燃焼室１２１とディフューザ室１２２に分離されている。
【００３３】
凸状隔壁１３０は、燃焼室１２１とディフューザ室１２２を分離できるものであればよく、形状は特に制限されるものではない。
図２に示す凸状隔壁１３０は、点火手段部ハウジング１１１の内周面１１１ａに当接された外側周壁部１３１と、ピストン１４０を支持固定するための固定孔１３２ａを有する環状支持部１３２と、外側周壁部１３１と環状支持部１３２を接続する、複数の貫通孔１３４が形成された内側周壁部１３３を有している。
凸状隔壁１３０は、外側周壁部１３１が点火手段部ハウジング１１１に対して圧入されることで固定されている。
【００３４】
燃焼室１２１内には、点火器１５０と接触した状態で所要量のガス発生剤成形体１２３が充填されている。
凸状隔壁１３０の貫通孔１３４は、防湿目的から、燃焼室１２１内に配置されたカップ状の閉塞部材１２５により内側から閉塞されている。
カップ状の閉塞部材１２５は、凸状隔壁１３０の内部形状と同じ形状のものであり、凸状隔壁１３０に対して燃焼室１２１側から嵌め込まれ、ガス発生剤成形体１２３で押し付けられていることで貫通孔１３４が閉塞されている。
また閉塞部材１２５の一部は、点火手段部ハウジング１１１の内周面１１１ａに対して公知のシーリング剤を塗布するなどの方法で、燃焼室１２１が気密になるよう取り付けられている。
【００３５】
ディフューザ室１２２は、環状平面部１１３の近傍の点火手段部ハウジング１１１に形成された複数のガス排出口１１７を有している。
複数のガス排出口１１７の内側には、環状平面部１１３と突起部１１９で軸方向に挟み込まれた状態で環状フィルタ１１８が固定されている。
ディフューザ室１２２は、ガス排出口１１７と環状フィルタ１１８を介して外部雰囲気と連通されている。
【００３６】
ピストン１４０は、ディフューザ室１２２内に位置している。
ピストン１４０は、矢尻状の鋭利な先端部１４１と、軸部１４２と突起部１４３を有しており、突起部１４３が凸状隔壁１３０の固定孔１３２ａに嵌め込まれることで固定されている。
ピストン１４０は図２に示すものに限定されるものではなく、円柱の先端部が軸方向に斜めに切断されたもの、鋭利な先端部のない円柱状のものなどを使用することができる。
【００３７】
破裂板１は、脆弱部３が加圧ガス室１０２側になるようにして、点火手段室１２０側から、環状平面部１１３に対して周縁部２が溶接固定されている。
破裂板１とピストン１４０の先端部は近接しているが、接触していない。
【００３８】
次に、図２に示すインフレータ１００をエアバッグ装置に使用したときの動作を説明する。
図２に示すインフレータ１００では、点火器１５０、ガス発生剤成形体１２３、ピストン１４０の組み合わせが、破裂板１の破壊手段として機能する。
【００３９】
点火器１５０が作動してガス発生剤成形体１２３を着火燃焼させ、燃焼室１２１内に燃焼ガスを発生させる。
それにより燃焼室１２１内の圧力が上昇することで、カップ状の閉塞部材１２５が破裂して貫通孔１３４が開口され、ディフューザ室１２２内に燃焼ガスの一部が流入する。
ディフューザ室１２２内に流入した燃焼ガスは、環状フィルタ１１８を通った後、ガス排出口１１７から排出され、エアバッグを膨張させる。
【００４０】
また残りの燃焼ガスにより燃焼室１２１内の圧力が上昇すると、凸状隔壁１３０がボトル１０１側に移動する。
凸状隔壁１３０は、作動前は点火手段部ハウジング１１１の内周面１１１ａに形成されていた浅い突起部によって固定されているが、圧力によって外側周壁部１３１が突起部を越えて移動する。
そして、ピストン１４０も軸方向に移動して、先端部１４１が破裂板１に衝突する。
ピストン１４０が衝突したとき、脆弱部を形成する溝の深さがｈ１＜ｈ２であるため、破裂板１の６本の第２脆弱部４は容易に開裂するが、正三角形６の底辺となる６本の第１脆弱部５は開裂せずに折れ曲がるため、破裂板１は加圧ガス室１０２方向に花弁状に開裂されて開口される（図１（ｂ）参照）。第１脆弱部５は、破裂板が開裂するほうの面に形成されており、開裂しやすい。
このため、加圧ガス室１０２とディフューザ室１２２が連通され、加圧ガスも燃焼ガスと共に環状フィルタ１１８を通った後、ガス排出口１１７から排出され、エアバッグを膨張させる。
【００４１】
このように破裂板１をインフレータ１００の破裂板として使用したときは、第１脆弱部５は容易に折れ曲がり、第２脆弱部４は容易に開裂するため、破裂板１の開口が容易であり、かつ破裂板１の破片が生じることもないし、破裂板１の開裂に要する荷重を低く抑えることができる。
このため、点火手段室１２０に充填するガス発生剤成型体１２３の量や点火器１５０の出力を小さくできるようになり、インフレータ１００全体を小型軽量化できる。
なお、環状フィルタ１１８は、ガス発生剤成形体１２３から発生した燃焼ガス中の燃焼残渣の捕捉作用や燃焼ガスの冷却作用をするためのものである。このため、本発明の破裂板を使用し、かつガス発生剤成形体を使用しないインフレータや、ガス発生剤成型体から発生する残渣や熱がひくいものであれば、フィルタは不要である。
【００４２】
＜図３に示すインフレータ１０＞
図３に示すインフレータ１０を説明する。
図３に示すインフレータ１０は、破裂板を除いては特開２００８−１３７４７５号公報の図１に示すインフレータ１０と同じものである。
図３において、加圧ガス室２０とガス発生器３０との間の第１連通路３８を閉塞する第１破裂板４０と、加圧ガス室２０とディフューザ部５０との間の第２連通路５６を閉塞する第２破裂板５８の一方または両方として破裂板１を使用する。
第１破裂板４０として破裂板１を使用したときは、脆弱部３が加圧ガス室２０側になるようにする。
第２破裂板５８として破裂板１を使用したときは、脆弱部３がディフューザ部５０側になるようにする。
【００４３】
第１破裂板４０と第２破裂板５８のいずれか一方として破裂板１を使用するときは、第２破裂板５８として破裂板１を使用することが好ましい。
第１破裂板４０として脆弱部のないものを使用したときには、破裂板の破片が生じたときでも、キャップ４４で捕捉される。
【００４４】
図３に示すインフレータ１０の第１破裂板４０と第２破裂板５８の両方として、破裂板１を使用したとき、容易にガス排出経路が開放され、かつ破裂板の破片も生じることがない。
【符号の説明】
【００４５】
１、１ｂ  破裂板
３、３ｂ  脆弱部
４、４ｂ  第２脆弱部
５、５ｂ  第１脆弱部
１００  インフレータ
１０１  ボトル
１０２  加圧ガス室
１１１  筒状ハウジング
１１７  ガス排出口
１１８  環状フィルタ
１２１  燃焼室
１２２  ディフューザ室
１３０  凸状隔壁
１４０  ピストン
【図１】
2015080987.tif 000003
【図２】
2015080987.tif 000004
【図３】
2015080987.tif 000005